(57)【特許請求の範囲】
【請求項１】
一方の流体管の受入口端部に他方の流体管の挿入口端部を挿入し、前記両流体管を水密に接続する流体管の離脱防止装置において、
前記挿入口端部に嵌挿される環状ホルダの内周面、または受入口端部の内周面に形成された環状溝内に、該環状溝の深さより浅く形成された中心を向く複数の隔壁によって画成された複数の収容部屋と、
前記隔壁によって周方向に移動拘束されて前記各収容部屋に配置されると共に、前記周方向の両端部に中心へ向けて開口する先細溝が形成され、内周端縁に係止爪を有する係止片と、
前記係止片の先細溝と前記隔壁を含む収容部屋の内壁とで形成される空間に圧入して前記係止片の両端部側を弾力的に押圧保持する弾性片と、を備え、
前記各係止片は前記挿入口端部の外周面と前記隔壁先端の間に形成される空間部内に位置される延設された両端を有し、前記空間部内で互いに隣接する前記係止片の両端を近接させて配置すると共に、前記係止片は外方からの押圧力によりその内周端縁の係止爪で前記隔壁先端の空間部を含む挿入口端部外周を押圧係止することを特徴とする流体管の離脱防止装置。
【発明の詳細な説明】
【０００１】
【発明の属する技術分野】
本発明は、水道管、ガス管、プラント用配管などの流体管の受入口端部に挿入口端部を挿入し、シール部材を介して前記両流体管を水密に接続する流体管の離脱防止装置に関する。
【０００２】
【従来の技術】
この種の流体管の離脱防止装置としては、例えば特公平３−５５７１６号公報により知られている。
【０００３】
この流体管の離脱防止装置は、図５及び図６に示されており、図５は流体管の受入口端部と挿入口端部を接合した従来の離脱防止装置を示す断面図であり、図６は図５のＣ−Ｃ断面図である。
【０００４】
図５に示す離脱防止装置０５は、一方の流体管の受入口端部内部に他方の流体管の挿入口端部０２を挿入し、図示しないシール部材（例えばパッキン）を介して水密に接続している。
【０００５】
離脱防止装置０５の前面には、庇部が０６突設形成されており、この庇部０６に穿設されるねじ孔（不図示）には固定ボルトが螺入されて、受入口端部の図示しない顎に係合して離脱防止装置０５を固定している。
【０００６】
離脱防止装置０５の内周面には、複数の内周溝０１０が隔壁０１１をもって円周方向に区画形成されるとともに、その外周面の複数箇所に穿設されたねじ孔０１３は、離脱防止装置０５の各内周溝０１０に連通して管軸中心方向を向くように形成されており、これらねじ孔０１３に押しボルト０１７を螺入し、円周方向外周から押しボルト０１７の先端で後述する係止片０１５を外方から管軸中心方向に向けて押圧するように構成されている。
【０００７】
そして、離脱防止装置０５の内周溝０１０内には、円弧状の係止片０１５がそれぞれ傾斜状態で収容されており、この係止片０１５は、実質的には皿ばね状断面を有し、全体的に弾性に富む特性を有した外周面０１５ａは円弧状に、内方面は食い込み刃０１５ｂが形成されるとともに、前面０１５ｃ並びに後面０１５ｄはそれぞれ平行に形成されており、係止片０１５の両側端には、隔壁との間に硬質ゴム体よりなる支持部材０１６が介装されて係止片０１５を内周溝０１０内に保持している。
【０００８】
そこで、各係止片０１５は、図６に示すように、その外周を押しボルト０１７により押圧することで、挿入口端部０２の外周に食い込み刃０１５ｂが食い込み状に係合する。従って、相互に接続された流体管の挿入口端部０２が図示しない受入口端部から離れる方向ａに変位するとき、係止片０１５はその外周面０１５ａ及び後面０１５ｄが押しボルト０１７及び内周溝０１０に拘束されているので、外周面０１５ａとボルト０１７との接点を中心とする皿ばね作用により、捻れ方向（ｂ方向）に揺動することで、その先端の食い込み刃０１５ｂは、挿入口端部０２の外周面の円周方向に均等に、且つ更に深く食い込むことになる。そして、係止片０１５は、ｂ方向の揺動により係止片０１５の後面０１５ｄが内周溝に衝接したところで、揺動作用は停止し挿入口端部０２の離脱が阻止される。
【０００９】
【発明が解決しようとする課題】
ところが、上述した従来の離脱防止装置０５は、挿入口端部０２の外周面に、円弧状の係止片０１５の両端が円周方向に所定距離離間して断続的に配置され、係止片間には支持部材０１６が介在しているため、挿入口端部０２外周面に作用する食い込み刃０１５ｂの作用範囲が少なく、管の離脱力に対する係止片０１５の食い込み力が過大となることが避けられなかった。
【００１０】
従って、挿入口端部０２が受入口端部から離れる方向ａに変位したとき、係止片０１５の押圧力によって食い込み刃０１５ｂの変位方向とは反対側の部分０１８が盛り上がることでこの部位に塗布された防錆剤が剥離したり、或いは管内面に張り付けられている内層ライニングがはげ落ちるといった問題を有していた。
【００１１】
本発明は、上記問題点を解決するためになされたもので、各係止爪に過大な食い込み力が作用することなく、相互の流体管を水密状態で確実に接続することができる流体管の離脱防止装置を提供することを目的をしている。
【００１２】
【課題を解決するための手段】
上記目的を達成するために、本発明の流体管の離脱防止装置は、一方の流体管の受入口端部に他方の流体管の挿入口端部を挿入し、前記両流体管を水密に接続する流体管の離脱防止装置において、
前記挿入口端部に嵌挿される環状ホルダの内周面、または受入口端部の内周面に形成された環状溝内に、該環状溝の深さより浅く形成された中心を向く複数の隔壁によって画成された複数の収容部屋と、
前記隔壁によって周方向に移動拘束されて前記各収容部屋に配置されると共に、前記周方向の両端部に中心へ向けて開口する先細溝が形成され、内周端縁に係止爪を有する係止片と、
前記係止片の先細溝と前記隔壁を含む収容部屋の内壁とで形成される空間に圧入して前記係止片の両端部側を弾力的に押圧保持する弾性片と、を備え、
前記各係止片は前記挿入口端部の外周面と前記隔壁先端の間に形成される空間部内に位置される延設された両端を有し、前記空間部内で互いに隣接する前記係止片の両端を近接させて配置すると共に、前記係止片は外方からの押圧力によりその内周端縁の係止爪で前記隔壁先端の空間部を含む挿入口端部外周を押圧係止することを特徴としている。
この特徴によれば、互いに隣接する係止爪の間隔が円周方向で最小隙間となるように収容配置して、係止爪単位の流体管外周に対する接触長さが拡大することで、相互の流体管に離脱方向の変位が生じても各係止爪に過大な食い込み力を生起させることなく、前記流体管の挿入端部外周を水密状態で確実に接続することができる。
【００１３】
また、弾性片を先細溝内に圧入することによって収容部屋内に収容された係止片を確実に保持することができる。
【００１４】
【発明の実施の形態】
以下、本発明の実施形態を図面に基づいて説明する。
【００１５】
図１は、本発明の一実施形態に係り、相互の流体管を水密に接続する離脱防止装置の断面図、図２は図１のＡ−Ａ断面図であって（ａ）は管相互に軸方向の変位が生ずる前の状態を示し、（ｂ）は管相互に軸方向の変位が生じた状態を示す部分断面図、図３は環状ホルダ内に収容された係止爪の作用説明図であり、図４は図３のＢ−Ｂ断面図である。
【００１６】
図１、図２に示す符号１、２は、互いに接続される流体管の受入口端部及び挿入口端部であり、受入口端部１は外側端部にフランジ１ａを有し、該フランジ１ａには円周方向に等間隔にボルト挿通孔１ｂが形成されており、開口端縁の内周に形成されるパッキン収容凹部１ｃには挿入口端部２外周面を水密にシールするパッキン３が嵌入されている。
【００１７】
４は、挿入口端部２に嵌挿される離脱防止装置としての環状ホルダであって、この環状ホルダ４には、受入口端部１のボルト挿通孔１ｂに対応してボルト挿通孔４ａが形成されている。４ｂは環状ホルダ４の前面から突出して形成されるパッキン３を押圧する環状の突出部である。
【００１８】
図３に示すように、環状ホルダ４の内周面に形成される環状溝内には、この環状溝の深さより浅く形成された中心を向く複数の隔壁５ａ、５ｂ…（本実施形態では６つ）が円周方向に配設され、これら隔壁５ａ、５ｂ…によって複数の収容部屋５が画成されている。したがって、収容部屋５は各隔壁５ａ、５ｂ…の先端空間部を介してリング状に連接している。
【００１９】
８は環状ホルダ４の円周方向に複数箇所に亘って穿設されたねじ孔であり、このねじ孔８は、環状ホルダ４の収容部屋５の円周方向の略中央に連通して管軸中心方向に穿設されている。
【００２０】
環状ホルダ４の各収容部屋５には、図１及び図２に示すように、内周端縁に鋭角に突設する断面山形の係止爪６ａを備えた円弧状の係止片６が収容されており、これら係止片６は、ダクタイル鋳鉄、スチール製の金属製のものが採用されている。
【００２１】
係止片６は、断面が方形で係止爪６ａの両端は、図３に示すように、両側の隔壁５ａ、５ｂの先端空間部に臨むように円周方向に延設されて、各係止片６の爪間隔Ｌは限りなく近接している。そして係止片６の両端部には中心に向けて開口する先細溝６ｂが形成されている。
【００２２】
１５は弾性片であって、この弾性片１５は、例えばゴム製の素材で先細の砲弾形であって片側の角度がθとなるテーパ状に形成され、係止片６両端に形成される先細溝６ｂ、６ｂと隔壁５ａ，５ｂの内壁ないし収容部屋５の内壁とで形成される空間に内方開口側から弾性片１５を圧入することで、係止片６の両側が弾力的に押圧保持されるようになっている。
【００２３】
すなわち、この弾性片１５が係止片６の両側の先細溝６ｂ、６ｂと隔壁５ａ，５ｂの内壁等の収容部屋５の内壁とで形成される空間内に圧入されると、図３に示すように、この係止片６には、弾性片１５による生ずる復元力で分力ｆ３とこの分力ｆ３と直交する分力ｆ０の合力ｆ２が内側に向けて両側から作用すると共に、図４に示すように収容部屋５内壁の管軸と平行な分力ｆ１と収容部屋５内壁の管軸と直交する分力ｆ２の合力ｆが収容部屋５の弾性片１５とは反対側の内壁に向けて作用する。
【００２４】
次に、本発明の離脱防止装置の作用に付き以下説明する。
【００２５】
図１に示すように、予め一方の流体管の挿入口端部２外周に、複数の収容部屋５内にそれそれ係止片６を収容した環状ホルダ４を挿通保持した状態で、前記挿入口端部２を他方の受入口端部１の開口側から定位置まで挿入する。
【００２６】
次いで、受入口端部１のフランジ１ａのボルト挿通孔１ｂより挿通した連結ボルト１２の先端を環状ホルダ４のボルト挿通孔４ａに挿通し、ナット１４を締め込こんで環状ホルダ４を受入口端部１に強く引き寄せることで、環状の突出部４ｂにより受入口端部１の開口端縁の内周に形成されるパッキン収容凹部１ｃに嵌入されたパッキン３を外部から圧縮する。
【００２７】
パッキン３の圧縮が終了したところで、押しボルト１０を締め込み、係止片６の外周を押圧することで、図２の（ａ）に示すように、係止爪６ａを挿入口端部２の外周に対しｄだけ食い込ませた状態で係止する。
【００２８】
そこで、互いに連結されている流体管である受入口端部１と挿入口端部２が相互に移動し、挿入口端部２が受入口端部１から離れる方向（ａ方向）に変位するとき、係止片６は外周面６ｃないし後面６ｄが押しボルト１０ないし隔壁５ａの内壁で拘束されているので、外周面６ｂと押しボルト１０との接点を中心とする皿ばね作用によりｂ方向に回動し、その先端の係止爪６ａは挿入口端部２外周面の同一位置においてその円周方向に均等に食い込むことになり、挿入口端部２の離脱は確実に阻止されることになる。
【００２９】
従って、上記のように構成された流体管の離脱防止装置によれば、環状ホルダ４の環状溝の深さより浅い複数の隔壁５ａ、５ｂ…によって画成された複数の収容部屋５内に、互いに隣接する係止爪６ａの間隔が円周方向で最小隙間となるように係止片６を収容配置することで、係止爪６ａ単位の挿入口端部２外周に対する接触長さが拡大するので、相互の流体管に反対方向の変位ａが生じても各係止爪６ａに作用する食い込み力を円周方向に分散させることができ、相互の流体管の挿入端部外周を水密状態に保持しつつ相互の離脱を防止することができる。
【００３０】
また、各隔壁５ａ、５ｂ…によって円周方向の移動が拘束されたいる係止片６が各収容部屋５内に収容された際、各係止爪６ａの両端が両側の隔壁５ａ、５ｂ…の先端空間部に臨むように円周方向に延設されているので、環状ホルダ４に強度が要求される場合に隔壁５ａ、５ｂ…の肉厚を厚くしても、係止爪６ａの円周方向への延設の障害とならない。
【００３１】
さらに、係止片６の円周方向の両端部にはその片側面に中心に向けて開口する先細溝６ｂが形成され、この先細溝６ｂと収容部屋５の内壁とで形成される空間に弾性片１５を圧入して係止片６の両側を弾力的に押圧保持するように構成されているので、収容部屋５内に収容された係止片６を確実に保持することができる。
【００３２】
以上、本発明の実施形態を図面により説明してきたが、具体的な構成はこれら説明してきたものに限られるものではなく、例えば、収容部屋は環状ホルダの内周面に形成するようにしているが、環状ホルダを用いることなく直接受入口端部の内周面に形成するようにしてもよい。
【００３３】
【発明の効果】
本発明によれば、次のような効果を奏することができる。
【００３４】
（ａ）請求項１記載の発明によれば、互いに隣接する係止爪の間隔が円周方向で最小隙間となるように収容配置して、係止爪単位の流体管外周に対する接触長さが拡大することで、相互の流体管に離脱方向の変位が生じても各係止爪に過大な食い込み力を生起させることなく、前記流体管の挿入端部外周を水密状態で確実に接続することができる。
【００３５】
また、弾性片を先細溝内に圧入することによって収容部屋内に収容された係止片を確実に保持することができる。
【図面の簡単な説明】
【図１】本発明の一実施形態に係り、相互の流体管を水密に接続する離脱防止装置の断面図である。
【図２】図１のＡ−Ａ断面図であって（ａ）は管相互に軸方向の変位が生ずる前の状態を示し、（ｂ）は管相互に軸方向の変位が生じた状態を示す部分断面図である。
【図３】は環状ホルダ内に収容された係止爪の作用説明図である。
【図４】図３のＢ−Ｂ断面図である。
【図５】流体管の受入口端部と挿入口端部を接合した従来の離脱防止装置を示す断面図である。
【図６】図５のＣ−Ｃ断面図である。
【符号の説明】
１                受入口端部
１ａ              フランジ
１ｂ              ボルト挿通孔
１ｃ              パッキン収容凹部
２                挿入口端部
３                パッキン
４                環状ホルダ
４ａ              ボルト挿通孔
４ｂ              突出部
５                収容部屋
５ａ、５ｂ…      隔壁
６                係止片
６ａ              係止爪
６ｂ              先細溝
６ｃ              外周面
６ｄ              後面
８                ねじ孔
１０              押しボルト
１２              連結ボルト
１４              ナット
１５              弾性片
ａ                変位
Ｌ                間隔
【図１】
0004194017.tif 000002
【図２】
0004194017.tif 000003
【図３】
0004194017.tif 000004
【図４】
0004194017.tif 000005
【図５】
0004194017.tif 000006
【図６】
0004194017.tif 000007